(57)【要約】      （修正有）【課題】携帯用端末機の全体厚さをより小さくすると共に、携帯用端末機のスライディング動作を一層円滑にし、端末機自体の寿命も延長させ得る携帯用端末機のスライディング方式開閉装置を提供する。【解決手段】スライドベースはメインボディーに固定されており、スライディングプレートはスライドボディーに対して固定結合され、スライドベースに対してはスライディング可能に結合される。ジグザグバネは上記スライドベースと上記スライディングプレートとの間に配置され、一端は上記スライドベースに、他端は上記スライディングプレートにそれぞれ回転自在に支持されている。上記スライドベースと上記スライディングプレートとが一直線上で互いに逆にスライド方式で動いている間、上記ジグザグバネの圧縮及び復元が行われ、上記ジグザグバネは、第１ジグザグ形部分と、この第１ジグザグ形部分とは異なる弾性を有する第２ジグザグ形部分とを含む。【選択図】図１
2009049785.tif 000002
【特許請求の範囲】
【請求項１】
メインボディーと、該メインボディーに対してスライド方式で動作可能なスライドボディーを有する携帯用端末機のスライディング方式開閉装置において、
上記メインボディーに固定されているスライドベース；
上記スライドボディーに対して固定結合され、上記スライドベースに対してはスライディング可能に結合されているスライディングプレート；及び
上記スライドベースと上記スライディングプレートとの間に配置され、一端は上記スライドベースに回転自在に支持されており、他端は上記スライディングプレートに回転自在に支持されているジグザグバネ；を含んでなり、
上記スライドベースと上記スライディングプレートとが一直線上で互いに逆にスライド方式で動いている間、上記ジグザグバネの圧縮及び復元が行われ、
上記ジグザグバネは、第１ジグザグ形部分と、この第１ジグザグ形部分とは異なる弾性を有する第２ジグザグ形部分とを含むことを特徴とする携帯用端末機のスライディング方式開閉装置。
【請求項２】
上記ジグザグバネと互いに重ならないように配置されている、上記ジグザグバネと同一のもう一つのジグザグバネを含むことを特徴とする請求項１に記載の携帯用端末機のスライディング方式開閉装置。
【請求項３】
上記第１ジグザグ形部分と上記第２ジグザグ形部分とは、互いに異なる弾性力を有することを特徴とする請求項１に記載の携帯用端末機のスライディング方式開閉装置。
【請求項４】
上記ジグザグバネは、全体的な形状がＭ形であることを特徴とする請求項１に記載の携帯用端末機のスライディング方式開閉装置。
【請求項５】
上記第１ジグザグ形部分と上記第２ジグザグ形部分とは、互いに異なる断面形状を有することを特徴とする請求項１に記載の携帯用端末機のスライディング方式開閉装置。
【請求項６】
上記ジグザグバネは、断面形状が円形、楕円形、あるいは長方形のうちの何れかであることを特徴とする請求項１に記載の携帯用端末機のスライディング方式開閉装置。
【発明の詳細な説明】
【技術分野】
【０００１】
本発明は、携帯用端末機のスライディング方式開閉装置に関し、より具体的には、携帯用端末機のスライドボディーに初期にだけ力を加えれば自動且つスライド方式で開閉でき、開状態及び閉状態において開閉装置による停止状態を維持できる携帯用端末機のスライディング方式開閉装置に関するものである。
【背景技術】
【０００２】
近年、携帯用端末機の普及率が高まるにつれて、その固有機能だけでなく、開閉動作についても使用者の趣向に合わせた付加的な機能が要求されてきている。
【０００３】
このような要求に応えるために、携帯用端末機は、一般的なバータイプからフリップタイプ、フリップアップタイプ、折り畳みタイプなどに発展してきており、最近は折り畳みタイプの端末機が主流をなしている。これは、折り畳みタイプの端末機がディスプレー装置にワイドＬＣＤモジュールを採択できるほどスペース的な余裕が充分であり、折り畳んで携帯することができて携帯性においても他のタイプの端末機より優れているためである。
【０００４】
尚、最近、折り畳みタイプの端末機と同様なサイズのワイドＬＣＤモジュールを具備するディスプレー装置が搭載でき、端末機のコンパクト化にも寄与し得るスライド方式開閉装置を備えた携帯用端末機が開発されている。
【０００５】
このようなスライディング方式の端末機は、メインボディー上でカバーに該当するサブボディーがスライディング動作して開閉されるもので、既存の折り畳みタイプ端末機の長所をそのまま生かしながら、新しい動作で開閉するといった付加的な長所を有する。
【０００６】
上記スライディング方式の携帯用端末機として、韓国実用新案登録第０３０８１６５号に開示されたスライディング方式の携帯用無線端末機が挙げられる。同実用新案登録による携帯用端末機は、スライドボディーをメインボディー上でガイドするためのガイド手段、及びスライドボディーとメインボディーとの間で上記スライドボディーの所定のスライディング位置を基準として、開放方向または閉鎖方向へと加圧力の方向を変化させるために設置される弾性手段を、それぞれ少なくとも一つ以上含む。上記弾性手段により、スライドボディーは、完全な開放または閉鎖動作時にも別途のストッパー無しで最大開放位置または最大閉鎖位置を維持することができる。かかる弾性手段には、一端がメインボディーに固定され他端がスライドボディーに固定されるトーションバネが採用されている。
【０００７】
このような端末機は、トーションバネの一端がメインボディーに他端がスライドボディーに固定されて、スライドボディーの全体移動距離に亘ってトーションバネの弾性が作用するため、トーションバネが大幅に伸縮するようになる。かかる理由でトーションバネとしては、動作が大きい反面に弾性力は少ないものが使われ、不足する弾性力を補充するために２つのトーションバネが配設される。
【０００８】
しかし、上記の実用新案登録によるスライディング方式開閉装置では、トーションバネが大幅に変形することから、繰り返す動作による疲労のために老化し易く正常機能を早期に喪失してしまう恐れがある。
【０００９】
また、このような開閉装置では、所望の開閉動作のために少なくとも２つのトーションバネを使用しなければならず、更にそれぞれのトーションバネの巻き数も少なくとも２回でなければならない。ここで注目すべき点は、メインボディーとスライドボディーとの間の離隔空間が、トーションバネ自体の線径（バネ断面の直径を意味する）、及びトーションバネの巻き数に依存するということである。すなわち、トーションバネ自体の線径が大きくなり／なるか、トーションバネの巻き数が多くなるほど、メインボディーとスライドボディーとの間の離隔空間は不可避に大きくなる。たとえば、トーションバネの線径が０.５ｍｍであり、このようなトーションバネが２回巻かれていると仮定する時、メインボディーとスライドボディーとの間の離隔距離は少なくとも１.０ｍｍでなければならない。これは、携帯用端末機の体積を増大させる要因となり、結局は携帯用端末機の携帯性を低下させる。
【００１０】
更に、上記の開閉装置では、力のばらつきがトーションバネの角度の調節に依存する。かかることから、携帯用端末機のメインボディーとスライドボディーとの間のスライド力を調節（または制御）し難くなる。これは、携帯用端末機自体に衝撃となり得、別途の衝撃吸収手段または衝撃緩和手段を設けなければ、結局は携帯用端末機自体の寿命を短縮させるはずである。
【発明の開示】
【発明が解決しようとする課題】
【００１１】
本発明は、上記のような従来技術の問題点を補完及び／または解決するために案出されたものであり、本発明の目的は、スライド方式で開閉される携帯用端末機のメインボディーに対してのスライドボディーのスライディングを円滑に維持しながら、これらの距離を最小化（スリム化）して携帯用端末機自体の体積を減らすことにより、携帯性を高めることにある。
【００１２】
本発明の他の目的は、それ自体で携帯用端末機のメインボディーとスライドボディーとの間に適用される力のばらつきを減らして携帯用端末機の寿命を延長させるだけでなく、かかる力の微細調整を可能にする携帯用端末機のスライディング方式開閉装置を提供することにある。
【００１３】
本発明のまた他の目的は、スライド力の根源が基本的にジグザグ形バネでありながら、メインボディーに対してのスライドボディーのスライディング動作がより一層円滑に行われるようにする、携帯用端末機のスライディング方式開閉装置を提供することにある。
【課題を解決するための手段】
【００１４】
上記の目的を達成するために、本発明は、
メインボディーと、該メインボディーに対してスライド方式で動作可能なスライドボディーを有する携帯用端末機のスライディング方式開閉装置において、
上記メインボディーに固定されているスライドベース；
上記スライドボディーに対して固定結合され、上記スライドベースに対してはスライディング可能に結合されているスライディングプレート；及び
上記スライドベースと上記スライディングプレートとの間に配置され、一端は上記スライドベースに回転自在に支持されており、他端は上記スライディングプレートに回転自在に支持されているジグザグバネ；を含んでなり、
上記スライドベースと上記スライディングプレートとが一直線上で互いに逆にスライド方式で動いている間、上記ジグザグバネの圧縮及び復元が行われ、
上記ジグザグバネは、第１ジグザグ形部分と、この第１ジグザグ形部分とは異なる弾性を有する第２ジグザグ形部分とを含むことを特徴とする携帯用端末機のスライディング方式開閉装置を提供する。
【００１５】
本発明の望ましい実施例による携帯用端末機のスライディング方式開閉装置は、上記ジグザグバネと互いに重ならないように配置される、上記ジグザグバネと同一のもう一つのジグザグバネを含んでなる。
【００１６】
また、本発明の望ましい実施例による携帯用端末機のスライディング方式開閉装置において、上記第１ジグザグ形部分と上記第２ジグザグ形部分とは互いに異なる弾性力を有する。
【００１７】
本発明の望ましい実施例による携帯用端末機のスライディング方式開閉装置において、上記ジグザグバネは、全体的な形状がＭ形であることが望ましい。
【００１８】
また、本発明の望ましい実施例による携帯用端末機のスライディング方式開閉装置において、上記第１ジグザグ形部分と上記第２ジグザグ形部分とは、互いに異なる断面形状を有することが望ましい。
【００１９】
尚、本発明の望ましい実施例による携帯用端末機のスライディング方式開閉装置において、上記ジグザグバネは、断面形状が円形、楕円形、あるいは長方形のうちの何れかであることが望ましい。
【発明の効果】
【００２０】
以上の通り、本発明による携帯用端末機のスライディング方式開閉装置では、スライドベース（又はメインボディー）に対してのスライディングプレート（又はスライドボディー）のスライディング動作が、力の配分が大体一定している第１ジグザグ形部分と、この第１ジグザグ形部分とは力の配分が異なる第２ジグザグ形部分とが同じ平面上に混在しているバネによって行われるため、携帯用端末機自体の全体厚さをより小さくすることができるとともに（スリム化効果）、力の分配が一定している一般のジグザグ形バネよりもスライド力が大きいことから、携帯用端末機のスライディング動作がより一層円滑になり（より一層円滑なスライディング動作効果）、携帯用端末機自体の寿命も延長させることができる（衝撃低下による寿命延長の効果）。特に、本発明による携帯用端末機のスライディング方式開閉装置では、一対の弾性部材が備えられ、第１弾性部材の一端、第２弾性部材の一端、第１弾性部材の他端、及び第２弾性部材の他端が相互重ならないように配置されるため、使用者が携帯用端末機のスライドボディーに初期にだけ力を加えれば、自動且つスライド方式で開閉できるようになる。
【発明を実施するための最良の形態】
【００２１】
本願で使われる用語“メインボディー”及び“スライドボディー”は、相互相対的な意味であり、使用者を基準とする時、動かない携帯用通信端末機部分とスライディング動作をする携帯用通信端末機部分とを各々表す。一般的に、スライディング方式開閉装置を採択する携帯用通信端末機のメインボディーには、表面にキーパッドが、内部には各種機能を果たすメインボードが内蔵される。スライドボディーには通常、画面表示窓が設置される。メインボディーとスライドボディーとは、フレキシブルＰＣＢにより電気的に連結される。
【００２２】
本願で使われる用語“スライドベース”は、それ自体がメインボディーの一部に属するか、メインボディーに固定されて動かないプレートとして理解されるべきである。
【００２３】
本願で使われる用語“スライディングプレート”は、スライドボディーの一部に属するか、スライドボディーに固定されて実質的にスライディング動作を行うプレートとして理解されるべきである。
【００２４】
本願で使われる用語“スライディング（雌または雄）案内部”は、スライディングプレートがスライドベースに対して離脱することなく、所定の軌道でスライディングできるようにする部分を表すものとして理解されるべきである。
【００２５】
以下、本発明を添付図面を参照して詳細に説明する。本発明の望ましい実施例による携帯用端末機のスライディング方式開閉装置は、上記で規定したようなメインボディー（図示省略）と、該メインボディーに対してスライド方式で動作可能な、上記で規定したようなスライドボディー（図示省略）とを備えた携帯用端末機に適用される。
【００２６】
先ず、図１を参照すると、本発明の望ましい実施例による携帯用端末機のスライディング方式開閉装置１００（以下、“スライド開閉装置”と称する）は、スライドベース１１０（望ましくは、プラスチック材質のスライドベース１１０）、スライディングプレート１２０（望ましくは、プラスチック材質のスライディングプレート１２０）、及び上記スライドベース１１０とスライディングプレート１２０との間の空間に配設される一つ以上の弾性部材１４２Ａ，１４２Ｂを含む。図示してはいないが、当業者ならば付加的な説明なしにもスライドベース１１０とスライディングプレート１２０がメインボディーとスライドボディーに各々様々な公知の方法（例えば、ネジ締結、嵌合、接着、溶接など）で結合されることが理解できるはずである。
【００２７】
スライド開閉装置１００には、スライドベース１１０に対してのスライディングプレート１２０のスライディングを調節するために、一つ以上の弾性部材（第１弾性部材及び第２弾性部材；図面の左右側にそれぞれ図示）が提供されている。第１弾性部材１４２Ａは、一端がスライドベース１１０に支持され、他端がスライディングプレート１２０に支持される。同様に、第２弾性部材１４２Ｂも、一端がスライドベース１１０に支持され、他端がスライディングプレート１２０に支持されている。但し、本発明では、円滑なスライディング動作及び厚さの最小化のために、第１弾性部材１４２Ａの一端、第２弾性部材１４２Ｂの一端、第１弾性部材１４２Ａの他端、及び第２弾性部材１４２Ｂの他端は、平面上で相互重ならないように配置される。このような第１弾性部材１４２Ａの一端及び他端、第２弾性部材１４２Ｂの一端及び他端は、図示されているように弾性部材回転支持体１１２Ａ，１２２Ａ及び１１２Ｂ，１２２Ｂによって、スライドベース１１０とスライディングプレート１２０に回転可能に結合される。本実施例では、上記弾性部材回転支持体１１２Ａ，１２２Ａ，１１２Ｂ，１２２Ｂとして、周面がそれぞれの弾性部材１４２Ａ，１４２Ｂ自体の回転を可能にするように形成された、例えば、周面に溝の刻んだリベットが用いられる。また、本実施例では、携帯用端末機の体積の増大を防止するために、それぞれの上記弾性部材の断面高さと殆ど同一であるか、それ以下の高さを有するリベットが用いられる。
【００２８】
特に、本発明では、それぞれの第１弾性部材１４２Ａ及び第２弾性部材１４２Ｂとして、図２乃至４に示されているように一般の圧縮バネではない、力の配分が大体一定している第１ジグザグ形部分と、この第１ジグザグ形部分とは力の配分が異なる第２ジグザグ形部分とが同じ平面上に混在しているバネが用いられる。より望ましくは、それぞれの第１弾性部材１４２Ａ及び第２弾性部材１４２Ｂにおける上記第２ジグザグ形部分の形状はＭ形である。このように、ジグザグ形バネにＭ形の部分を導入することにより、力の配分が一定している一般的な形態のジグザグ形バネによる力よりも一層大きな力を発揮させることができるようになる。第１弾性部材１４２Ａの一端、第２弾性部材１４２Ｂの一端、第１弾性部材１４２Ａの他端、及び第２弾性部材１４２Ｂの他端は、上記した通り、平面上で相互重ならないように配置される。これにより、携帯用端末機のスライディング動作がより一層円滑に行われ、携帯用端末機の大きさも尚一層最小化できる。
【００２９】
上記第１弾性部材１４２Ａ及び第２弾性部材１４２Ｂの断面の形状としては、円形、楕円形、四角形、その他の多角形などが適用され得る。このように断面の形状を変形させることにより、弾性力が調節できる。
【００３０】
例えば、断面が円形である第１弾性部材１４２Ａ及び第２弾性部材１４２Ｂよりは、断面が楕円形である第１弾性部材１４２Ａ及び第２弾性部材１４２Ｂのほうが、同じ高さで側面方向への線径が大きくなり、より大きな弾性力を発生させることができる。
【００３１】
本実施例では、図示されているように、断面が円形である第１弾性部材１４２Ａ及び第２弾性部材１４２Ｂが使用される。
【００３２】
メインボディーに対してのスライドボディーのスライディング動作がより一層円滑に行われるよう、本発明では、スライドベース１１０の長手方向内側に、長手方向へのスライディングを可能にするようにスライドベース側のスライディング雌案内部１１４Ａ，１１４Ｂが設けられ、これに対応するスライディングプレート１２０の長手方向外側には、スライドベース１１０に対してのスライディングを可能にするようにスライディングプレート側のスライディング雄案内部１２４Ａ，１２４Ｂが設けられている。勿論、その逆も可能であり、多様な変形も可能である。例えば、スライドベース１１０側にレール状のスライディング雄案内部が提供され、スライディングプレート１２０側には雌案内部が提供されてもよい。他の例として、スライドベース１１０とスライディングプレート１２０のうちのどちらか一方にバー状のスライディング案内部材が提供され、他方には上記バー状のスライディング案内部材にスライディング可能に嵌合するスライディング案内部材の通孔が提供されてもよい。
【００３３】
更に、スライドベース側のスライディング雌案内部１１４Ａ，１１４Ｂの内側、スライディングプレート側のスライディング雄案内部１２４Ａ，１２４Ｂの外側、またはこれらの両方は、プラスチック材質の補強材で補強されるか、それ自体がプラスチック材質であることができる。このようなプラスチック材質による補強、またはプラスチック材質の選択は、本発明のスライド開閉装置１００の耐久性をより一層増大させるだけでなく、ひいては、本発明のスライド開閉装置を適用する携帯用端末機の寿命をもより一層延長させることが期待される。
【００３４】
図２乃至４は、携帯用端末機が完全にクローズされた時、携帯用端末機がオープンされている途中、そして携帯用端末機が完全にオープンされた時のスライド開閉装置に適用されるそれぞれの弾性部材の様子を順に示している。
【００３５】
これら図面を参照すると、携帯用端末機が完全にクローズされた時には、それぞれの弾性部材１４２Ａ，１４２Ｂは元の状態を維持しているが（図２）、使用者によってある程度の長手方向への力を受けると、両側部（第１ジグザグ形部分）が先に圧縮され、続いて加圧力が次第に大きくなると、中間のＭ形部分（第２ジグザグ形部分）が圧縮されながら開閉力が平衡をなすようになる（図３）。
【００３６】
この時、わずかな力を更に加えれば、圧縮されたＭ形部分が伸びながら、それぞれの弾性部材１４２Ａ，１４２Ｂはスライディングプレートを強く押すようになる（図４）。仮りに、これと違って、弾性部材１４２Ａ，１４２ＢにＭ形部分が工夫されていないとすれば、上記のようなスライディングプレートを強く押す力は発生せず、このため、スライディングプレートのスライディングが迅速には行われないはずである。
【００３７】
図５乃至図１１は、携帯用端末機が完全にクローズされている時のスライド開閉装置の様子を示す図である（順に、斜視図、正面図、背面図、左側面図、右側面図、平面図及び底面図）。これら図面に示すスライディング開閉装置の動作は上記の図２乃至図４を参照して既に説明されているため、これらに対する説明は省略する。
【００３８】
図１３乃至図１８は、携帯用端末機が完全にオープンされている時のスライド開閉装置の様子を示す（順に、斜視図、正面図、背面図、左側面図、右側面図、平面図及び底面図）。これら図面に示すスライディング開閉装置の動作は上記図２乃至図４を参照して既に説明されているため、これらに対する説明は省略する。
【００３９】
本発明の望ましい実施例では、第１弾性部材１４２Ａ及び第２弾性部材１４２Ｂとして、力の配分が大体一定している第１ジグザグ形部分と、この第１ジグザグ形部分とは力の配分が異なる第２ジグザグ形部分とが同じ平面上に混在しているバネが使われる。このようなバネの使用は、携帯用端末機のスリム化を可能にする。より具体的に、スライドベース１１０とスライディングプレート１２０と間の空間は、バネが占める空間に左右され、本発明の望ましい実施例ではバネの線径にのみ左右される。もし、上記のようなバネに代えてトーションバネが使われるとしたら、線径の２倍に当たる大きさの空間が必要となるだけでなく、スライディング開閉装置で力のばらつきがトーションバネの角度の調節に依存するため、携帯用端末機のメインボディーとスライドボディーとの間のスライド力を調節（または制御）し難くなる。すなわち、携帯用端末機自体に衝撃を与えることがあり、別途の衝撃吸収手段または衝撃緩和手段を設けなければ、結局は携帯用端末機自体の寿命を短縮させることになる。一方、ジグザグ形のバネに代えて圧縮バネが使われれば、バネ線径の２倍に当たる大きさの空間に加えて、圧縮バネの巻かれた内部が占める空間の直径だけの空間が必要となる。しかし、本発明の望ましい実施例で用いる弾性部材、つまりジグザグ形のバネは、上記のようなトーションバネの問題点だけでなく、圧縮バネの問題点を補完及び解消することができる。他の観点で、このようなジグザグ形バネの使用が可能になったのは、上記した通り、第１弾性部材１４２Ａの一端、第１弾性部材１４２Ａの他端、第２弾性部材１４２Ｂの一端、及び第２弾性部材１４２Ｂの他端が相互重ならないように配置される構造を有するためである。
【産業上の利用可能性】
【００４０】
以上、本発明の携帯用端末機のスライディング方式開閉装置によれば、スライドベース（又はメインボディー）に対してのスライディングプレート（又はスライドボディー）のスライディング動作が、力の配分が大体一定している第１ジグザグ形部分と、この第１ジグザグ形部分とは力の配分が異なる第２ジグザグ形部分とが同じ平面上に混在しているバネによって行われるため、携帯用端末機自体の全体厚さをより小さくすることができるとともに（スリム化効果）、力の分配が一定している一般のジグザグ形バネよりもスライド力が大きくて携帯用端末機のスライディング動作がより一層円滑になり（より一層円滑なスライディング動作の効果）、携帯用端末機自体の寿命も延長するようになる（衝撃低下による寿命延長効果）。特に、本発明による携帯用端末機のスライディング方式開閉装置では、上記弾性部材が一対採択され、第１弾性部材の一端、第２弾性部材の一端、第１弾性部材の他端及び第２弾性部材の他端が相互重ならないように配置されるため、使用者が携帯用端末機のスライドボディーに初期にだけ力を加えれば、自動且つスライド方式で開閉できるようになる。
【００４１】
以上では本発明の望ましい実施例を参照して説明したが、本技術分野における通常の知識を有する者ならば、下記の特許請求の範囲に記載された本発明の思想及び領域を逸脱しない範囲内で、本発明を多様に修正及び変更できることを理解できるはずである。
【図面の簡単な説明】
【００４２】
添付された図面において、説明の便宜及び視覚的な効果を極大化するために、特別な記載がない限り、後面の様子を前面、前面の様子を後面と定義する。例えば、図６及び図１３は下記の通り正面図と言及されているが、実際は背面図と理解すべきである。
【図１】本発明の望ましい実施例による携帯用端末機のスライディング方式開閉装置の分解斜視図（後方から見た様子を基準とする）である。
【図２】携帯用端末機が完全にクローズされた時のスライディング方式開閉装置に適用されている弾性部材を示す図（後方から見た様子を基準とする）である。
【図３】携帯用端末機がオープンされている途中で、開閉力が平衡をなしている時のスライディング方式開閉装置に適用されている弾性部材を示す図である。
【図４】携帯用端末機が完全にオープンされた時のスライディング方式開閉装置に適用されている弾性部材を示す図（後方から見た様子を基準とする）である。
【図５】携帯用端末機が完全にクローズされた時のスライディング方式開閉装置の斜視図（後方から見た様子を基準とする）である。
【図６】図５に示すスライディング方式開閉装置の正面図である。
【図７】図５に示すスライディング方式開閉装置の背面図である。
【図８】図５に示すスライディング方式開閉装置の左側面図である。
【図９】図５に示すスライディング方式開閉装置の右側面図である。
【図１０】図５に示すスライディング方式開閉装置の平面図である。
【図１１】図５に示すスライディング方式開閉装置の底面図である。
【図１２】携帯用端末機が完全にオープンされた時のスライディング方式開閉装置の斜視図（後方から見た様子を基準とする）である。
【図１３】図１２に示すスライディング方式開閉装置の正面図である。
【図１４】図１２に示すスライディング方式開閉装置の背面図である。
【図１５】図１２に示すスライディング方式開閉装置の左側面図である。
【図１６】図１２に示すスライディング方式開閉装置の右側面図である。
【図１７】図１２に示すスライディング方式開閉装置の平面図である。
【図１８】図１２に示すスライディング方式開閉装置の底面図である。
【符号の説明】
【００４３】
１００              スライディング方式開閉装置
１１０              スライドベース
１１２Ａ，１１２Ｂ  （スライドベース側）弾性部材回転支持体（リベット等）
１１４Ａ，１１４Ｂ  （スライドベース側）スライディング雌案内部
１２０              スライディングプレート
１２２Ａ，１２２Ｂ  （スライディングプレート側）弾性部材回転支持体（リベット等）
１２４Ａ，１２４Ｂ  （スライディングプレート側）スライディング雄案内部
１２６  Ｆ−ＰＣＢ  通孔
１４２Ａ，１４２Ｂ  弾性部材（それぞれ第１弾性部材及び第２弾性部材）
【図１】
2009049785.tif 000003
【図２】
2009049785.tif 000004
【図３】
2009049785.tif 000005
【図４】
2009049785.tif 000006
【図５】
2009049785.tif 000007
【図６】
2009049785.tif 000008
【図７】
2009049785.tif 000009
【図８】
2009049785.tif 000010
【図９】
2009049785.tif 000011
【図１０】
2009049785.tif 000012
【図１１】
2009049785.tif 000013
【図１２】
2009049785.tif 000014
【図１３】
2009049785.tif 000015
【図１４】
2009049785.tif 000016
【図１５】
2009049785.tif 000017
【図１６】
2009049785.tif 000018
【図１７】
2009049785.tif 000019
【図１８】
2009049785.tif 000020